(57)【特許請求の範囲】
【請求項１】
通信ネットワークに接続する接続手段と、原稿を読み取る読取手段と、画データを記録する記録手段と、動作指示を行う操作手段と、画データを送受信する通信手段と、異なる音を構成する設定値を記憶する記憶手段と、記憶手段に記憶された音を鳴動する鳴動手段と、記憶手段に記憶された音の設定値に基づいて、操作手段からの指示に基づく読取手段の動作終了時、記録手段の動作終了時及び通信手段の動作終了時、接続手段を介した外部端末からの指示に基づく読取手段の動作終了時及び記録手段の動作終了時、並びに、通信手段からの受信に基づく記録手段の動作終了時に、異なる音を鳴動手段から鳴動させる制御手段とを備えた通信端末装置。
【請求項２】
請求項１に記載の通信端末装置において、制御手段は、操作手段からの入力に基づいて、異なる音を構成する設定値を記憶手段に記憶させる通信端末装置。
【請求項３】
請求項１または請求項２に記載の通信端末装置において、音を構成する設定値は、ＯＮ時間／ＯＦＦ時間、ＯＮ時間の周波数、及び、ＯＮ時間とＯＦＦ時間との繰り返し周期で構成されている通信端末装置。
【請求項４】
請求項１〜請求項３のうちいずれか一項に記載の通信端末装置において、読取手段は静止原稿を読み取るＦＢＳを備え、制御手段は、読取手段のＦＢＳで原稿を読み取ってＦＡＸ送信又はコピーする場合、読取手段の動作が終了しても、音を鳴動手段から鳴動させない通信端末装置。
【請求項５】
請求項４に記載の通信端末装置において、読取手段は原稿台に載置された原稿を給送しながら読み取るＡＤＦをさらに備え、制御手段は、読取手段のＡＤＦで原稿を読み取ってＦＡＸ送信又はコピーする場合、読取手段の動作終了時に、音を鳴動手段から鳴動させる通信端末装置。
【発明の詳細な説明】
【０００１】
【発明の属する技術分野】
本発明は、通信端末装置に関し、より詳しくはコピー、ＦＡＸ、ネットワークスキャナ、ネットワークプリンタとして機能する通信端末装置に関するものである。
【０００２】
【従来の技術】
近年、通信端末装置に代表される複写機能付きファクシミリ装置（以下、複合機という）を通信ネットワークに接続させて、複合機の記録部をネットワークプリンタとして、また複合機の読取部をネットワークスキャナとして使用する場合がある。このため、複合機のプリントとしては、コピー指示に基づくプリント、ＦＡＸ受信に基づくプリント、通信ネットワークに接続されたパソコンからの指示に基づくネットワークプリントがある。また、複合機のスキャナとしては、ＦＡＸ送信の指示に基づく原稿の読み取り、通信ネットワークに接続されたパソコンからの指示に基づくネットワークスキャナがある。そして、プリント動作及びスキャナ動作が終了した場合には、複合機は、これらの動作が終了した旨を報知するための終了音を鳴動していた。加えて、ＦＡＸ送信が終了した場合や、ＦＡＸ受信を行った後、受信画データを記録紙に記録した場合にも、その旨を報知するための終了音を鳴動していた。
【０００３】
【発明が解決しようとする課題】
しかしながら、これらの動作が終了しても、同一の終了音が鳴動されるため、いずれの動作が終了したのかを終了音に基づいて判断することはできなかった。
【０００４】
本発明は、このような問題点に着目してなされたものであって、その目的は、いずれの動作が終了したかを報知することが可能な通信端末装置を提供することにある。
【０００５】
【課題を解決するための手段】
上記の目的を達成するために、請求項１に記載の発明では、通信ネットワークに接続する接続手段と、原稿を読み取る読取手段と、画データを記録する記録手段と、動作指示を行う操作手段と、画データを送受信する通信手段と、異なる音を構成する設定値を記憶する記憶手段と、記憶手段に記憶された音を鳴動する鳴動手段と、記憶手段に記憶された音の設定値に基づいて、操作手段からの指示に基づく読取手段の動作終了時、記録手段の動作終了時及び通信手段の動作終了時、接続手段を介した外部端末からの指示に基づく読取手段の動作終了時及び記録手段の動作終了時、並びに、通信手段からの受信に基づく記録手段の動作終了時に、異なる音を鳴動手段から鳴動させる制御手段とを備えた。
【０００６】
請求項２に記載の発明では、請求項１に記載の通信端末装置において、制御手段は、操作手段からの入力に基づいて、異なる音を構成する設定値を記憶手段に記憶させる。
【０００７】
請求項３に記載の発明では、請求項１または請求項２に記載の通信端末装置において、音を構成する設定値は、ＯＮ時間／ＯＦＦ時間、ＯＮ時間の周波数、及び、ＯＮ時間とＯＦＦ時間との繰り返し周期で構成されている。
請求項４に記載の発明では、請求項１〜請求項３のうちいずれか一項に記載の通信端末装置において、読取手段は静止原稿を読み取るＦＢＳを備え、制御手段は、読取手段のＦＢＳで原稿を読み取ってＦＡＸ送信又はコピーする場合、読取手段の動作が終了しても、音を鳴動手段から鳴動させない。
請求項５に記載の発明では、請求項４に記載の通信端末装置において、読取手段は原稿台に載置された原稿を給送しながら読み取るＡＤＦをさらに備え、制御手段は、読取手段のＡＤＦで原稿を読み取ってＦＡＸ送信又はコピーする場合、読取手段の動作終了時に、音を鳴動手段から鳴動させる。
【０００８】
【発明の実施の形態】
以下に、本発明に係る通信端末装置を複合機に具体化した一実施形態について、図面を用いて説明する。
【０００９】
図１に示すように、複合機１は、ファクシミリ装置本体１ａとオプションボード３０とから構成されている。
ファクシミリ装置本体１ａは、ＭＰＵ１１、ＲＯＭ１２、ＲＡＭ１３、読取部１４、記録部１５、操作部１６、表示部１７、画像メモリ１８、コーデック１９、モデム２０、ＮＣＵ２１、オプションボードスロット部２２及び鳴動部２３から構成されるとともに、各部１１〜２３がバス２４を介してそれぞれ接続されている。
【００１０】
ＭＰＵ１１は、複合機１を構成する各部を制御する。ＲＯＭ１２は、複合機１を制御するためのプログラムを記憶する。ＲＡＭ１３は、複合機１に関する各種情報を一時的に記憶する。
【００１１】
読取部１４は、原稿上の画像データを読み取って、白黒２値のイメージデータを出力する。記録部１５は、電子写真方式のプリンタよりなり、受信画データの記録動作やコピー動作において、受信された画データ或いは読取部１４にて読み取られた原稿の画データを記録紙上に記録する。
【００１２】
操作部１６は、電話番号を入力するためのテンキー（＊，＃キーを含む）１６ａ、短縮番号の登録又は短縮番号から発信するための短縮キー１６ｂ、予め登録した電話番号又はＦＡＸ番号をワンタッチで指定するためのワンタッチキー１６ｃ、原稿の読み取り動作を開始させるためのスタートキー１６ｄ、ＦＡＸモードに設定するためのＦＡＸキー１６ｅ、コピーモードに設定するためのコピーキー１６ｆ等の各種操作キーを備えている。ＬＣＤ等よりなる表示部１７は、複合機１の動作状態等の各種情報の表示を行う。
【００１３】
画像メモリ１８は、受信画データや読取部１４で読み取られて２値化され、コーデック１９でＭＭＲ方式に従って符号化された画データを一時的に記憶する。また、画像メモリ１８は、パソコン２からオプションボードスロット部２２を介して送出されてきた画データを一時的に記憶する。
【００１４】
コーデック１９は、読取部１４にて読み取られた画データを送信のためにＭＨ，ＭＲ，ＭＭＲ方式等に従って符号化（エンコード）する。また、コーデック１９は、受信画データを復号（デコード）する。
【００１５】
モデム２０は、ＩＴＵ−Ｔ勧告Ｔ．３０に従ったファクシミリ伝送制御手順及びＶ．１７，Ｖ．２７ｔｅｒ，Ｖ．２９等に従った送受信データの変調及び復調を行う。ＮＣＵ２１は、電話回線Ｌの閉結及び開放を行うとともに、相手先のＦＡＸ番号に対応したダイヤル信号の送出及び着信を検出する機能等を備えている。
【００１６】
オプションボードスロット部２２には、通信ネットワークＴに接続するためのオプションボード３０が装備される。オプションボード３０は、通信ネットワークＴへ接続するためのインターフェース３０ａを備えている。このインターフェース３０ａは、通信ネットワークＴを介して複合機１とパソコン２との間の制御を行う。すなわち、このオプションボード３０をオプションボードスロット部２２に装備すると、通信ネットワークＴへの接続が可能となる。鳴動部２３は、ＭＰＵ１１からの制御信号に基づいて、操作部１６から設定された音を鳴動する。
【００１７】
次に、音を設定するときの動作について、図２に示すフローチャートを用いて説明する。なお、この動作は、ＲＯＭ１２に記憶されたプログラムに基づき、ＭＰＵ１１の制御により実行される（以下、複合機１の動作について同じ）。
【００１８】
ステップＳ１においては、キー受付音を設定するか否かのメッセージが表示部１７に表示される。そして、テンキー１６ａからの入力に基づいて、キー受付音を設定するか否かが判断される。具体的には、テンキー１６ａから「１」が入力された場合は、キー受付音を設定すると判断する。一方、テンキー１６ａから「０」が入力された場合は、キー受付音を設定しないと判断する（以下、音の設定及び音の作成処理について同じ）。そして、キー受付音を設定すると判断した場合は、ステップＳ１０に移行する。一方、キー受付音を設定しないと判断した場合は、ステップＳ２に移行する。
【００１９】
ステップＳ２においては、キー拒否音を設定するか否かのメッセージが表示部１７に表示される。テンキー１６ａからの入力に基づいて、キー拒否音を設定すると判断した場合は、ステップＳ１０に移行する。一方、テンキー１６ａからの入力に基づいて、キー拒否音を設定しないと判断した場合は、ステップＳ３に移行する。
【００２０】
ステップＳ３においては、ＦＡＸ送信の指示に基づく原稿の読取終了音、つまりＦＡＸ送信の読取終了音を設定するか否かのメッセージが表示部１７に表示される。テンキー１６ａからの入力に基づいて、ＦＡＸ送信の読取終了音を設定すると判断した場合は、ステップＳ１０に移行する。一方、テンキー１６ａからの入力に基づいて、ＦＡＸ送信の読取終了音を設定しないと判断した場合は、ステップＳ４に移行する。
【００２１】
ステップＳ４においては、ＦＡＸ送信の終了音を設定するか否かのメッセージが表示部１７に表示される。テンキー１６ａからの入力に基づいて、ＦＡＸ送信の終了音を設定すると判断した場合は、ステップＳ１０に移行する。一方、テンキー１６ａからの入力に基づいて、ＦＡＸ送信の終了音を設定しないと判断した場合は、ステップＳ５に移行する。
【００２２】
ステップＳ５においては、パソコン２からの指示に基づく原稿の読取終了音、つまりネットワークスキャナの終了音を設定するか否かのメッセージが表示部１７に表示される。テンキー１６ａからの入力に基づいて、ネットワークスキャナの終了音を設定すると判断した場合は、ステップＳ１０に移行する。一方、テンキー１６ａからの入力に基づいて、ネットワークスキャナの終了音を設定しないと判断した場合は、ステップＳ６に移行する。
【００２３】
ステップＳ６においては、コピー指示に基づく原稿の読取終了音、つまりコピーの読取終了音を設定するか否かのメッセージが表示部１７に表示される。テンキー１６ａからの入力に基づいて、コピーの読取終了音を設定すると判断した場合は、ステップＳ１０に移行する。一方、テンキー１６ａからの入力に基づいて、コピーの読取取終了音を設定しないと判断した場合は、ステップＳ７に移行する。
【００２４】
ステップＳ７においては、コピー指示に基づくプリント終了音、つまりコピーの終了音を設定するか否かのメッセージが表示部１７に表示される。テンキー１６ａからの入力に基づいて、コピーの終了音を設定すると判断した場合は、ステップＳ１０に移行する。一方、テンキー１６ａからの入力に基づいて、コピーの終了音を設定しないと判断した場合は、ステップＳ８に移行する。
【００２５】
ステップＳ８においては、ＦＡＸ受信に基づくプリント終了音、つまりＦＡＸ受信の記録終了音を設定するか否かのメッセージが表示部１７に表示される。テンキー１６ａからの入力に基づいて、ＦＡＸ受信の記録終了音を設定すると判断した場合は、ステップＳ１０に移行する。一方、テンキー１６ａからの入力に基づいて、ＦＡＸ受信の記録終了音を設定しないと判断した場合は、ステップＳ９に移行する。
【００２６】
ステップＳ９においては、パソコン２からの指示に基づくプリント終了音、つまりネットワークプリントの終了音を設定するか否かのメッセージが表示部１７に表示される。テンキー１６ａからの入力に基づいて、ネットワークプリントの終了音を設定すると判断した場合は、ステップＳ１０に移行する。一方、テンキー１６ａからの入力に基づいて、ネットワークプリントの終了音を設定しないと判断した場合は、この処理を終了する。
【００２７】
ステップＳ１０においては、音の作成処理が実行される。
次に、音の作成処理について、図３に示すフローチャートを用いて説明する。ステップＳ１１においては、音のＯＮ／ＯＦＦのパターンにおけるＯＮ時間と、ＯＦＦ時間とを入力させるメッセージが表示部１７に表示される。その結果、テンキー１６ａからＯＮ時間と、ＯＦＦ時間とが入力される。具体的には、ＯＮ時間として３００〔ｍｓ〕、ＯＦＦ時間として３００〔ｍｓ〕が入力される。そして、ＯＮ時間とＯＦＦ時間とが入力されると、ステップＳ１２に移行する。
【００２８】
ステップＳ１２においては、音のＯＮ／ＯＦＦのパターンにおけるＯＮ時間の周波数を入力させるメッセージが表示部１７に表示される。その結果、テンキー１６ａから周波数が入力される。具体的には、ＯＮ時間の周波数として、８００〔Ｈｚ〕が入力される。そして、ＯＮ時間の周波数が入力されると、ステップＳ１３に移行する。
【００２９】
ステップＳ１３においては、音のＯＮ／ＯＦＦのパターンの繰り返し時間、つまりＯＮ／ＯＦＦのパターンの繰り返し周期を入力させるメッセージが表示部１７に表示される。その結果、テンキー１６ａから繰り返し周期が入力される。具体的には、繰り返し周期として、３〔回〕が入力される。そして、繰り返し周期が入力されると、ステップＳ１４に移行する。
【００３０】
ステップＳ１４においては、前記ステップＳ１１〜Ｓ１３において入力されたすべての入力値が、既にＲＡＭ１３に記憶されている音の設定値と同一であるか否かが判断される。入力値と既にＲＡＭ１３に記憶されている音の設定値と同一である場合は、その旨を示すメッセージが表示部１７に表示される。そして、前記ステップＳ１１に戻る。一方、入力値と既にＲＡＭ１３に記憶されている音の設定値と同一でない場合は、ステップＳ１５に移行する。
【００３１】
ステップＳ１５においては、前記ステップＳ１１〜Ｓ１３において入力された値がＲＡＭ１３に記憶される。
ステップＳ１６においては、次の音を作成するか否かのメッセージが表示部１７に表示される。テンキー１６ａからの入力に基づいて、次の音を作成すると判断した場合は、ステップＳ１１に戻る。その結果、次に設定する音のメッセージが表示部１７に表示される。具体的には、「キー受付音」の作成が終了した後、次の音を作成すると判断した場合は、「キー拒否音」の設定である旨のメッセージが表示部１７に表示される。一方、テンキー１６ａからの入力に基づいて、次の音を作成しないと判断した場合は、この処理を終了する。
【００３２】
次に、このように設定された音を鳴動するときの動作について、図４〜図６に示すフローチャートを用いて説明する。
図４に示すステップＳ２１においては、操作部１６からのキー入力であるか否かが判断される。キー入力である場合は、ステップＳ２２に移行する。一方、キー入力でない場合は、ステップＳ２５に移行する。
【００３３】
ステップＳ２２においては、現在受付可能なキーであるか否かが判断される。ここで、現在受付可能なキーとは、ＦＡＸ送信における相手先のＦＡＸ番号を入力するメッセージや、コピー部数を入力するメッセージに対して、テンキー１６ａの「０〜９」キーが入力された場合等が挙げられる。一方、現在受付不可能なキーとは、ＦＡＸ送信における相手先のＦＡＸ番号を入力するメッセージや、コピー部数を入力するメッセージに対して、テンキー１６ａの「＊」キーや「＃」キーが入力された場合等が挙げられる。そして、現在受付可能なキーである場合は、ステップＳ２２に移行する。一方、現在受付可能なキーでない場合は、ステップＳ２４に移行する。
【００３４】
ステップＳ２３においては、入力されたキーが有効であることを報知するため、キー受付音が鳴動部２３から鳴動される。
ステップＳ２４においては、入力されたキーが無効であることを報知するため、キー拒否音が鳴動部２３から鳴動される。その後、前記ステップＳ１に戻る。
【００３５】
ステップＳ２５においては、ＦＡＸ送信であるか否かが判断される。具体的には、ＦＡＸキー１６ｅが操作されて、ＦＡＸモードに設定されたか否かに基づいて、ＦＡＸ送信であるか否かが判断される。そして、ＦＡＸ送信である場合は、ステップＳ２６に移行する。一方、ＦＡＸ送信でない場合は、図５に示すステップＳ４１に移行する。
【００３６】
ステップＳ２６においては、原稿が読取部１４で読み取られ、読み取られた原稿の画データがコーデック１９で符号化されて、画像メモリ１８に記憶される。ステップＳ２７においては、すべての原稿の読み取りが終了するのが待たれる。そして、すべての原稿の読み取りが終了すると、ステップＳ２８に移行する。
【００３７】
ステップＳ２８においては、ＦＡＸ送信の指示に基づく原稿の読み取りが終了したため、ＦＡＸ送信の読取終了音が鳴動部２３から鳴動される。
ステップＳ２９においては、前記ステップＳ２６において読み取った原稿の画データが送信される。
【００３８】
ステップＳ３０においては、画データの送信が終了するのが待たれる。そして、画データの送信が終了すると、ステップＳ３１に移行する。
ステップＳ３１においては、ＦＡＸ送信が終了したため、ＦＡＸ送信の終了音が鳴動部２３から鳴動される。
【００３９】
図５に示すステップＳ４１においては、ネットワークスキャナであるか否かが判断される。具体的には、パソコン２からの指示が読取部１４をネットワークスキャナとして使用する指示であるか否かに基づいて、ネットワークスキャナであるか否かが判断される。そして、ネットワークスキャナである場合は、ステップＳ４２に移行する。一方、ネットワークスキャナでない場合は、ステップＳ４５に移行する。
【００４０】
ステップＳ４２においては、原稿が読取部１４で読み取られ、読み取られた原稿の画データが、オプションボード３０及び通信ネットワークＴを介して、ネットワークスキャナを指示したパソコン２に転送される。
【００４１】
ステップＳ４３においては、すべての原稿の読み取りが終了するのが待たれる。そして、すべての原稿の読み取りが終了すると、ステップＳ４４に移行する。
ステップＳ４４においては、パソコン２からの指示に基づく原稿の読み取りが終了したため、ネットワークスキャナの終了音が鳴動部２３から鳴動される。
【００４２】
ステップＳ４５においては、コピーであるか否かが判断される。具体的には、コピーキー１６ｆが操作されて、コピーモードに設定されたか否かに基づいて、コピーであるか否かが判断される。そして、コピーである場合は、ステップＳ４６に移行する。一方、コピーでない場合は、図６に示すステップＳ６１に移行する。
【００４３】
ステップＳ４６においては、原稿が読取部１４で読み取られ、、読み取られた原稿の画データがコーデック１９で符号化されて、画像メモリ１８に記憶される。
【００４４】
ステップＳ４７においては、すべての原稿の読み取りが終了するのが待たれる。そして、すべての原稿の読み取りが終了すると、ステップＳ４８に移行する。ステップＳ４８においては、コピー指示に基づく原稿の読み取りが終了したため、コピーの読取終了音が鳴動部２３から鳴動される。
【００４５】
ステップＳ４９においては、画像メモリ１８に記憶された画データがコーデック１９で復号されて、記録部１５で記録紙に記録される。つまり、記録部１５で記録紙にコピーされる。
【００４６】
ステップＳ５０においては、記録部１５でのコピーが終了するのが待たれる。つまりコピーが終了するのが待たれる。そして、コピーが終了すると、ステップＳ５１に移行する。
【００４７】
ステップＳ５１においては、コピーが終了したため、コピーの終了音が鳴動部２３から鳴動される。
図６に示すステップＳ６１においては、ＦＡＸ受信であるか否かが判断される。具体的には、交換機からの呼出信号に基づきＮＣＵ２１が電話回線Ｌを接続した後、モデム２０でＦＡＸである旨を示すＣＮＧ信号を受信したか否かに基づいて、ＦＡＸ受信であるか否かが判断される。そして、ＦＡＸ受信である場合は、ステップＳ６２に移行する。一方、ＦＡＸ受信でない場合は、ステップＳ６５に移行する。
【００４８】
ステップＳ６２においては、画データが受信されて、受信画データが画像メモリ１８に記憶される。その後、受信画データがコーデック１９で復号されて、記録部１５で記録紙に記録される。
【００４９】
ステップＳ６３においては、受信画データの記録が終了するのが待たれる。そして、受信画データの記録が終了すると、ステップＳ６４に移行する。
ステップＳ６４においては、受信画データの記録が終了したため、ＦＡＸ受信の記録終了音が鳴動部２３から鳴動される。
【００５０】
ステップＳ６５においては、ネットワークプリントであるか否かが判断される。具体的には、パソコン２からの指示が記録部１５をネットワークプリンタとして使用する指示であるか否かに基づいて、ネットワークプリントであるか否かが判断される。そして、ネットワークプリントである場合は、ステップＳ６６に移行する。一方、ネットワークプリントでない場合は、この処理を終了する。
【００５１】
ステップＳ６６においては、パソコン２から通信ネットワークＴ及びオプションボード３０を介して転送されてきた画データが、記録部１５で記録紙に記録される。つまり、記録部１５で記録紙にプリントされる。
【００５２】
ステップＳ６７においては、記録部１５でのプリントが終了するのが待たれる。そして、プリントが終了すると、ステップＳ６８に移行する。
ステップＳ６８においては、プリントが終了したため、ネットワークプリントの終了音が鳴動部２３から鳴動される。
【００５３】
以上、詳述したように本実施形態によれば、次のような作用、効果を得ることができる。
（１）ＲＡＭ１３には、ＦＡＸ送信の読取終了音、ＦＡＸ送信の終了音、ネットワークスキャナの終了音、コピーの読取終了音、コピーの終了音、ＦＡＸ受信の記録終了音、ネットワークプリントの終了音等が、それぞれ異なる音を構成する設定値で記憶されている。このため、それぞれの動作が終了した場合には、異なる終了音が鳴動部２３から鳴動される。従って、いずれの動作が終了したかを報知することができる。
【００５４】
（２）音を構成する設定値は、ＯＮ時間／ＯＦＦ時間、ＯＮ時間の周波数、及び、ＯＮ時間とＯＦＦ時間との繰り返し周期で構成されている。このため、所望の音を設定することができる。しかも、操作部１６から入力した入力値が、既にＲＡＭ１３に記憶されている設定値と同一の場合には、その旨が表示部１７に表示される。このため、同一の音がＲＡＭ１３に設定されることを防止することができる。
【００５５】
なお、前記実施形態は、次のように変更して具体化することも可能である。
・ＦＡＸ送信の読取終了音及びＦＡＸ送信の終了音において、読み取った原稿の画データを画像メモリ１８に記憶してから相手先に送信する、いわゆるメモリ送信の場合と、読み取った原稿の画データを画像メモリ１８に記憶することなく、相手先に送信する、いわゆるスキャナ送信の場合とで、異なる音を設定する構成にしても良い。
【００５６】
・音の設定値として、音量も設定する構成にしても良い。
・図３に示すステップＳ１３において、繰り返し周期の入力させる構成に代えて、鳴動時間を入力させる構成にしても良い。
【００５７】
・原稿台に載置された原稿を給送しながら読み取るＡＤＦと、静止原稿を読み取るＦＢＳとで読取部１４が構成されている場合には、ＡＤＦで原稿を読み取る場合にのみ、前記実施形態を適用する構成にしても良い。このように構成すれば、ＡＤＦの原稿台に大量の原稿を載置した場合には、原稿の読取終了音に基づいて、原稿を素早く回収することができる。一方、ＦＢＳで原稿を読み取る度に、原稿の読取終了音が鳴動されないため、読取終了音を煩わしく感じることはない。
【００５８】
・また、ＡＤＦで原稿を読み取る場合であっても、原稿が所定枚数（例えば５枚）以下の場合は、読取終了音を鳴動させない構成にしても良い。すなわち、所定枚数であれば、使用者が複合機１から離れることは想定し難い。そこで、所定枚数以下の原稿をＡＤＦで読み取った場合には、読取終了音を鳴動させない構成にしても良い。
【００５９】
・短縮キー１６ｂ、ワンタッチキー１６ｃに登録されている相手先毎に異なる音を設定し、ＴＳＩ信号に含まれる相手先のＦＡＸ番号に基づいて、設定された音を鳴動部２３から鳴動する構成にしても良い。このように構成すれば、いずれの相手先からのＦＡＸを受信したかを異なる音で認識することができる。
【００６０】
さらに、上記実施形態より把握される技術的思想について、以下にそれらの効果と共に記載する。
〔１〕制御手段は、読取手段のＦＢＳで原稿を読み取ってＦＡＸ送信又はコピーする場合は、読取手段の動作が終了しても、音を鳴動手段から鳴動させない通信端末装置。このように構成すれば、ＦＢＳで原稿を読み取った場合には、原稿の読取終了音が鳴動されないため、煩わしく感じることはない。
【００６１】
〔２〕制御手段は、操作手段からの指示に基づく読取手段の動作は、コピー動作とＦＡＸ送信動作であって、それぞれの動作終了時に、異なる音を鳴動手段から鳴動させる通信端末装置。このように構成すれば、いずれの動作が終了したかを報知することができる。
【００６２】
〔３〕メッセージを表示する表示手段を備え、制御手段は、操作手段から音の設定のために入力された入力値が、記憶手段に記憶されている音を構成する設定値と同一である場合は、その旨を表示手段に表示させる通信端末装置。このように構成すれば、同一の音が記憶手段に設定されることを防止することができる。
【００６３】
なお、明細書中における通信ネットワークには、例えばパソコン２等の外部機器と複合機１とを直接接続して、複合機１をローカルプリンタやローカルスキャナとして使用する場合も含むものとする。
【００６４】
【発明の効果】
本発明は、以上のように構成されているため、次のような効果を奏する。
各請求項に記載の発明によれば、いずれの動作が終了したかを報知することができる。
【図面の簡単な説明】
【図１】複合機の構成を示すブロック図。
【図２】音の設定処理を示すフローチャート。
【図３】音の作成処理を示すフローチャート。
【図４】音を鳴動するときの動作を示すフローチャート。
【図５】音を鳴動するときの動作を示すフローチャート。
【図６】音を鳴動するときの動作を示すフローチャート。
【符号の説明】
１…通信端末装置としての複合機、２…外部端末としてのパソコン、１１…制御手段を構成するＭＰＵ、１２…制御手段を構成するＲＯＭ、１３…記憶手段及び制御手段を構成するＲＡＭ、１４…読取手段としての読取部、１５…記録手段としての記録部、１６…操作手段としての操作部、１７…表示手段としての表示部、２０…通信手段を構成するモデム、２１…通信手段を構成するＮＣＵ、３０…接続手段としてのオプションボード、Ｔ…通信ネットワーク。
【図１】
0003565179.tif 000002
【図２】
0003565179.tif 000003
【図３】
0003565179.tif 000004
【図４】
0003565179.tif 000005
【図５】
0003565179.tif 000006
【図６】
0003565179.tif 000007